(57)【要約】【課題】  切刃が設けられた先端部の径がシャンク部の径より小さくなった切削工具をがたつかないように安全に収容できると共に、この切削工具を工作機械に簡単且つ安全にセットできる切削工具収容用ケースを提供する。【解決手段】  切刃が設けられた先端部1aの径がシャンク部1bの径より小さくなった切削工具１を収容させる切削工具収容用ケースにおいて、先端部のある切削工具の前部側を収容させる第１収容部11が設けられた第１ケース10と、シャンク部のある切削工具の後部側を収容させる第２収容部21が設けられた第２ケース20とを着脱自在に係合させ、第１ケースにおける第１収容部に、切削工具のシャンク部を保持する保持部12を設けると共に、この第１収容部内に収容される切削工具の長さを規制する当て止め部13を設けた。【選択図】  図２
2004284005.tif 000002
【特許請求の範囲】
【請求項１】
切刃が設けられた先端部１ａの径がシャンク部１ｂの径より小さくなった切削工具１を収容させる切削工具収容用ケースであって、切刃が設けられた先端部１ａのある切削工具１の前部側を収容させる第１収容部１１が設けられた第１ケース１０と、シャンク部１ｂのある切削工具１の後部側を収容させる第２収容部２１が設けられた第２ケース２０とが着脱自在に係合されてなり、上記の第１ケース１０における第１収容部１１に、切削工具１のシャンク部１ｂを保持する保持部１２が設けられると共に、この第１収容部１１内に収容される切削工具１の長さを規制する当て止め部１３が設けられてなることを特徴とする切削工具収容用ケース。
【請求項２】
請求項１に記載した切削工具収容用ケースにおいて、第１収容部１１内に収容される切削工具１の長さを規制する当て止め部１３が、切削工具１における先端部１ａとシャンク部１ｂとの間におけるテーパー部１ｃに対応したテーパー状に形成されていることを特徴とする切削工具収容用ケース。
【請求項３】
請求項１又は請求項２に記載した切削工具収容用ケースにおいて、収容させる切削工具１が、切刃が設けられた先端部１ａの径がシャンク部１ｂの径より小さくなったルーマ型ドリルであることを特徴とする切削工具収容用ケース。
【請求項４】
請求項１又は請求項２に記載した切削工具収容用ケースにおいて、収容させる切削工具１が、切刃が設けられた先端部１ａの径がシャンク部１ｂの径より小さくなったエンドミルであることを特徴とする切削工具収容用ケース。
【発明の詳細な説明】
【技術分野】
【０００１】
本発明は、切刃が設けられた先端部の径がシャンク部の径より小さくなったルーマ型ドリルやエンドミル等の切削工具を収容させる切削工具収容用ケースに係り、特に、上記のような切削工具をがたつかないようにして安全に収容させることができると共に、切削工具収容用ケースに収容された切削工具を工作機械に簡単且つ安全にセットできるようにした点に特徴を有するものである。
【背景技術】
【０００２】
近年、電子機器におけるプリント基板等に対して精密な穴あけ加工を行うために、直径が２．０ｍｍ以下になった小径のドリルが多く用いられるようになり、このような小径のドリルとしては、切刃が設けられた先端部の径をシャンク部の径より小さくしたルーマ型ドリルが広く利用されるようになり、また各種製品の微細化に伴って、部品や金型に対して微細な切削加工が行われるようになり、このため、切刃が設けられた先端部の径がシャンク部の径より小さくなった小径のエンドミルが用いられるようになった。
【０００３】
そして、このような切刃が設けられた先端部の径が小さいルーマ型ドリルやエンドミル等の切削工具についても、従来においては、一般のドリルやエンドミル等の切削工具と同様のプラスチックで構成された切削工具収容用ケース内に収容させて運搬や保管を行い、またこれらの切削工具を使用するにあたっては、上記の切削工具収容用ケース内から切削工具を取り出し、この切削工具を指で掴んでスピンドル等の工作機械に取り付けるようにしていた。
【０００４】
しかし、上記のように切刃が設けられた先端部の径が小さいルーマ型ドリルやエンドミル等の切削工具においては、切刃が設けられた先端部が折損しやすく、上記のように切削工具収容用ケース内に収容させて運搬する途中等において、上記の切削工具が切削工具収容用ケース内でがたつき、切刃が設けられた先端部が切削工具収容用ケースに当たって折損することがあった。
【０００５】
このため、上記のような切削工具を切削工具収容用ケースに収容させるにあたっては、上記の切削工具の径が小さくなった先端部を柔らかいクッション材でカバーして保護する等の方法が行われていたが、この場合、この切削工具を切削工具収容用ケース内に収容させたり、切削工具収容用ケース内から切削工具を取り出す作業が面倒になる等の問題があった。
【０００６】
さらに、切削工具収容用ケース内から上記のような切削工具を取り出し、この切削工具をスピンドル等の工作機械に取り付ける場合においては、切刃が設けられた先端部を慎重に指で掴んでセットしなければならず、作業が非常に面倒であると共に、この作業時に径が小さくなった先端部が機械等に当たって折損したり、また切刃に指等が触れて怪我をする等の問題もあった。
【発明の開示】
【発明が解決しようとする課題】
【０００７】
この発明は、切刃が設けられた先端部の径がシャンク部の径より小さくなったルーマ型ドリルやエンドミル等の切削工具を切削工具収容用ケース内に収容させて運搬する場合や、このルーマ型ドリルをスピンドル等の工作機械に取り付ける場合における上記のような問題を解決することを課題とするものである。
【０００８】
すなわち、この発明においては、上記のような切削工具をがたつかないようにして安全に収容させることができると共に、この切削工具を工作機械に簡単且つ安全にセットできる切削工具収容用ケースを提供することを課題とするものである。
【課題を解決するための手段】
【０００９】
この発明においては、上記のような課題を解決するために、切刃が設けられた先端部１ａの径がシャンク部１ｂの径より小さくなった切削工具１を収容させる切削工具収容用ケースにおいて、切刃が設けられた先端部１ａのある切削工具１の前部側を収容させる第１収容部１１が設けられた第１ケース１０と、シャンク部１ｂのある切削工具１の後部側を収容させる第２収容部２１が設けられた第２ケース２０とを着脱自在に係合させるようにし、上記の第１ケース１０における第１収容部１１に、切削工具１のシャンク部１ｂを保持する保持部１２を設けると共に、この第１収容部１１内に収容される切削工具１の長さを規制する当て止め部１３を設けるようにしたのである。
【００１０】
そして、この発明における切削工具収容用ケースに切削工具１を収容させるにあたっては、先ず、切刃が設けられた先端部１ａのある切削工具１の前部側を上記の第１ケース１０の第１収容部１１内に導き、上記の当て止め部１３によって切削工具１が抑止されるまで、この切削工具１を第１収容部１１内に挿入させて、この切削工具１のシャンク部１ｂを第１収容部１１に設けられた上記の保持部１２に保持させるようにする。
【００１１】
次いで、このように切削工具１の前部側を第１ケース１０の第１収容部１１内に収容させた状態で、この第１ケース１０から突出された切削工具１の後部側を第２ケース２０の第２収容部２１内に収容させるようにして、第１ケース１０と第２ケース２０とを係合させるようにする。
【００１２】
また、この切削工具収容用ケース内に収容された切削工具１をスピンドル等の工作機械に取り付ける場合には、切削工具１の後部側を収容させた第２ケース２０を第１ケース１０から取り外して、切削工具１の後部側におけるシャンク部１ｂを第１ケース１０から突出させ、この状態で、この第１ケース１０を持って突出したシャンク部１ｂを工作機械に取り付け、その後、このように工作機械に取り付けた切削工具１から上記の第１ケース１０を取り外すようにする。
【００１３】
また、この発明における切削工具収容用ケースにおいては、第１収容部１１内に収容される切削工具１の長さを規制する当て止め部１３を設けるにあたり、この当て止め部１３を、切削工具１における先端部１ａとシャンク部１ｂとの間におけるテーパー部１ｃに対応したテーパー状に形成することが好ましい。
【発明の効果】
【００１４】
以上詳述したように、この発明における切削工具収容用ケースにおいては、切刃が設けられた径の小さい先端部のある切削工具の前部側を第１ケースにおける第１収容部内に収容させる一方、シャンク部のある切削工具の後部側を第２ケースにおける第２収容部内に収容させ、この第１ケースと第２ケースとを着脱自在に係合させて切削工具を収容させるにあたり、第１ケースの第１収容部に設けられた当て止め部によって切削工具の挿入を抑止させるようにしたため、切刃が設けられた径の小さい先端部が第１収容部の壁面に当たるのが防止されて、この切削工具における径の小さい先端部が折損するのが抑制されるようになる。
【００１５】
また、この第１収容部に設けられた保持部によって切削工具のシャンク部を保持させるようにしたため、切削工具がこの切削工具収容用ケース内でがたつくのも防止され、運搬時等において、この切削工具における径の小さい先端部が折損するのも抑制されるようになる。
【００１６】
また、このように切削工具収容用ケース内に収容させた切削工具を工作機械に取り付ける場合には、上記のように切削工具の後部側を収容させた第２ケースを第１ケースから取り外し、切削工具の後部側におけるシャンク部を第１ケースから突出させ、この第１ケースを持って突出したシャンク部を工作機械に取り付けた後、切削工具から上記の第１ケースを取り外すようにすることができ、従来のように径の小さい先端部が直接機械等に当たって折損するということがなくなると共に、慎重にシャンク部を掴んで工作機械にセットするという困難な作業を行う必要もなく、切削工具を工作機械に簡単にセットできるようになり、また先端部に設けられた切刃に指等が触れて怪我をするということもなくなる。
【００１７】
また、この発明における切削工具収容用ケースにおいて、第１収容部内に収容される切削工具の長さを規制する当て止め部を設けるにあたり、この当て止め部を、切削工具における先端部とシャンク部との間におけるテーパー部に対応したテーパー状に形成すると、このテーパー状になった当て止め部に切削工具のテーパー部が密接するようになり、この切削工具収容用ケース内において切削工具ががたつくのがより一層抑制されるようになる。
【発明を実施するための最良の形態】
【００１８】
以下、この発明の実施形態に係る切削工具収容用ケースを添付図面に基づいて具体的に説明する。なお、この発明に係る切削工具収容用ケースは下記の実施形態に示したものに限定されず、発明の要旨を変更しない範囲において、適宜変更して実施できるものである。
【００１９】
この実施形態においては、切削工具１として、図１に示すような切刃が設けられた先端部１ａとシャンク部１ｂとの間にテーパー部１ｃを有し、先端部１ａの径がシャンク部１ｂの径より小さくなったルーマ型ドリル１を収容させるようにした切削工具収容用ケースについて説明する。なお、この実施形態においては、先端部１ａとシャンク部１ｂとの間に直線状になったテーパー部１ｃが設けられたルーマ型ドリル１を用いるようにしたが、このテーパー部１ｃは湾曲した形状のものであってもよい。
【００２０】
そして、この実施形態における切削工具収容用ケースはプラスチックで構成され、図２に示すように、先端部１ａのあるルーマ型ドリル１の前部側を収容させる第１収容部１１が設けられた第１ケース１０と、シャンク部１ｂのあるルーマ型ドリル１の後部側を収容させる第２収容部２１が設けられた第２ケース２０とを有しており、この第２ケース２０における口部２２の内周側に、上記の第１ケース１０の口部１４を嵌め込んで、第１ケース１０と第２ケース２０とを着脱自在に取り付けるようにしている。
【００２１】
ここで、このように第２ケース２０における口部２２の内面側に、上記の第１ケース１０の口部１４を嵌め込んで取り付けるにあたっては、第１ケース１０と第２ケース２０とが簡単に外れないようにするため、第１ケース１０の口部１４の外面と、第２ケース２０の口部２２の内面とに、係合突起（図示せず）とこれに係合する係合凹所（図示せず）とを設け、これらを係合させるようにすることが好ましい。
【００２２】
また、上記の第１ケース１０における第１収容部１１においては、ルーマ型ドリル１の前部側を挿入させる上記の口部１４から第１ケース１０の軸方向内部に向かって、ルーマ型ドリル１のシャンク部１ｂを保持する保持部１２と、この第１収容部１１内に収容されるルーマ型ドリル１の長さを規制する当て止め部１３と、ルーマ型ドリル１の先端部１ａを収容させる先端収容部１５とを設けている。
【００２３】
そして、上記の保持部１２においては、その壁面に内方に三角形状に突出して軸方向に伸びた保持用凸条１２ａを対向するようにして複数設け、これらの保持用凸条１２ａによってルーマ型ドリル１のシャンク部１ｂを保持させるようにしている。なお、ルーマ型ドリル１のシャンク部１ｂを保持させる手段は、特にこのようなものに限定されず、例えば、保持部１２の壁面に対向するようにして内方に円弧状に突出して軸方向に伸びた一対の保持部材（図示せず）を設けるようにすることも可能である。
【００２４】
また、上記の当て止め部１３を設けるにあたっては、この当て止め部１３をルーマ型ドリル１における上記のテーパー部１ｃに対応したテーパー状に形成しており、このテーパー状になった当て止め部１３にルーマ型ドリル１のテーパー部１ｃが密接するようにしている。
【００２５】
また、上記の先端収容部１５については、その内部の径をルーマ型ドリル１における先端部１ａの径よりもある程度大きくして、先端部１ａがこの先端収容部１５の壁面に当たらないようにすると共に、この先端収容部１５の長さを先端部１ａよりもある程度長くし、上記のようにルーマ型ドリル１のテーパー部１ｃを当て止め部１３に密接させて抑止させた場合に、先端部１ａの先端が先端収容部１５先端の壁面に当たらないようにしている
【００２６】
また、この実施形態における切削工具収容用ケースにおいては、第１ケース１０に第２ケース２０を取り付けたり、第１ケース１０から第２ケース２０を取り外したりする操作が容易に行えるようにするため、第１ケース１０及び第２ケース２０の外面にそれぞれ滑り止め１６、２３を設けている。
【００２７】
ここで、この実施形態における切削工具収容用ケースにルーマ型ドリル１を収容させるにあたっては、図３に示すように、先端部１ａがあるルーマ型ドリル１の前部側を、第１ケース１０の口部１４から第１収容部１１内に挿入させるようにする。
【００２８】
そして、上記の当て止め部１３にルーマ型ドリル１のテーパー部１ｃが密接して抑止されるまで、このルーマ型ドリル１を第１収容部１１内に挿入させ、ルーマ型ドリル１の先端部１ａが上記の先端収容部１５の内壁に当たらないようにして、図４に示すように、このルーマ型ドリル１のシャンク部１ｂを上記の保持部１２に設けられた保持用凸条１２ａによって保持させるようにする。
【００２９】
次いで、このようにルーマ型ドリル１の前部側を第１ケース１０の第１収容部１１内に収容させた状態で、この第１ケース１０から突出されたルーマ型ドリル１の後部側を第２ケース２０の第２収容部２１内に収容させ、第１ケース１０の口部１４の外周側に第２ケース２０の口部２２を嵌め合わせて、第２ケース２０を第１ケース１０に取り付けるようにする。
【００３０】
また、このように切削工具収容用ケース内に収容されたルーマ型ドリル１をスピンドル等の工作機械２に取り付けるにあたっては、第１ケース１０及び第２ケース２０の外面に設けられた滑り止め１６、２３を指で持ち、図５（Ａ）に示すように、ルーマ型ドリル１の後部側を収容させた第２ケース２０を第１ケース１０から取り外して、ルーマ型ドリル１の後部側におけるシャンク部１ｂを第１ケース１０から突出させるようにする。
【００３１】
次いで、この状態で、図５（Ｂ）に示すように、この第１ケース１０を持って突出したシャンク部１ｂを工作機械２の取付部２ａに挿入させて、このシャンク部１ｂを工作機械２の取付部２ａに固定させるようにする。
【００３２】
その後、図５（Ｃ）に示すように、このルーマ型ドリル１から上記の第１ケース１０を取り外すようにする。
【００３３】
このようにすると、このルーマ型ドリル１を工作機械に取り付ける場合に、従来のように径が小さくなった先端部１ａが直接機械等に当たって折損するということがなくなると共に、慎重にシャンク部１ｂを掴んで工作機械２にセットするという困難な作業を行う必要もなくなり、ルーマ型ドリル１を工作機械に簡単にセットできるようになると共に、先端部１ａに設けられた切刃に手が触れて怪我をするということもなくなる。
【００３４】
なお、この実施形態においては、上記のようなルーマ型ドリル１を収容させる場合について説明したが、この発明の切削工具収容用ケースに収容させる切削工具１は、上記のようなルーマ型ドリル１に限られず、切刃が設けられた先端部の径がシャンク部の径より小さくなったエンドミルであってもよい。
【図面の簡単な説明】
【００３５】
【図１】この発明の一実施形態に係る切削工具収容用ケースに収容させる切削工具の平面図である。
【図２】この発明の一実施形態に係る切削工具収容用ケースにおいて、第１ケースと第２ケースとを分離させた状態を示した断面説明図である。
【図３】同実施形態に係る切削工具収容用ケース内に切削工具を収容させた状態を示した断面説明図である。
【図４】同実施形態に係る切削工具収容用ケースにおいて、第１ケースの第１収容部に設けられた保持部に切削工具のシャンク部を保持させた状態を示した断面説明図である。
【図５】同実施形態に係る切削工具収容用ケースに収容された切削工具を工作機械にセットする工程を示した説明図である。
【符号の説明】
【００３６】
１  切削工具（ルーマ型ドリル）
１ａ  先端部
１ｂ  シャンク部
１ｃ  テーパー部
１０  第１ケース
１１  第１収容部
１２  保持部
１３  当て止め部
２０  第２ケース
２１  第２収容部
【図１】
2004284005.tif 000003
【図２】
2004284005.tif 000004
【図３】
2004284005.tif 000005
【図４】
2004284005.tif 000006
【図５】
2004284005.tif 000007